(57)【要約】【課題】幅広い利用者の好みに対応することができ、かつ販売額の向上も図ることができる自動販売機の表示装置を提供する。【解決手段】商品温度の温度範囲を複数の温度範囲に分割し、各温度範囲毎に設定した特定の色を商品温度に対応させて表示する温度色表示ランプ２０を、各商品選択ボタン１２に対応してそれぞれ設けた。したがって、利用者は、温度色表示表示ランプ２０の色を見ることで、自分の好みに対応した温度範囲の商品を選択することができる。【選択図】図４
2007317036.tif 000002
【特許請求の範囲】
【請求項１】
冷却機能または加温機能の少なくとも一方を有するとともに、商品の温度を検出する検知手段を有して商品温度に関した情報を表示する自動販売機の表示装置であって、
商品温度の温度範囲を複数の温度範囲に分割し、
各温度範囲毎に設定した特定の色を商品温度に対応させて表示する温度色表示部を、各商品選択ボタンに対応してそれぞれ設けたことを特徴とする自動販売機の表示装置。
【請求項２】
冷却状態で販売可能な温度範囲と加温状態で販売可能な温度範囲との少なくとも一方が、互いに温度範囲が重ならないように複数設けられていることを特徴とする請求項１に記載の自動販売機の表示装置。
【請求項３】
販売可能な各温度範囲とこれらの温度範囲に対応するそれぞれの色とを対応させて表示する温度表示色見本を設けたことを特徴とする請求項１または２に記載の自動販売機の表示装置。
【請求項４】
温度色表示部を点灯させる際に、同じ温度範囲に対応する同じ色の温度色表示部を同期させて点灯するように構成し、同じ温度範囲に対応する同じ色の温度色表示部を点灯させた際に、その温度範囲または概略温度を別途に設けた表示部において数字または記号で表示することを特徴とする請求項１または２に記載の自動販売機の表示装置。
【請求項５】
別途に設けた表示部が投入金額表示部であることを特徴とする請求項４記載の自動販売機の表示装置。
【請求項６】
温度色表示部が販売可ランプを兼ねている請求項１〜５の何れか１項に記載の自動販売機の表示装置。
【発明の詳細な説明】
【技術分野】
【０００１】
本発明は冷却機能または加温機能の少なくとも一方を有する自動販売機の表示装置に関する。
【背景技術】
【０００２】
缶飲料などの自動販売機は、商品を冷却あるいは加温して販売できるように冷却機能または加温機能を有している。商品見本を陳列した商品棚には、冷却商品見本群が並べられた箇所に青色地でさらに「ＣＯＬＤ」と記載して表示し、加温商品見本群が並べられた箇所に赤色地でさらに「ＨＯＴ」と記載して表示することが一般に行われている。
【０００３】
また、このような自動販売機の各商品選択ボタンには、商品の売切れを知らせるための売切ランプと、商品が販売可能な状態であることを知らせるための販売可ランプとがそれぞれ設けられている。そして、自動販売機の設置者や巡回員が商品を補充した際には、前面扉を開けた状態で扉裏面に配設されたキーボードなどから販売休止のための所定操作を行うことで、補充商品について所定時間だけ販売を休止させ、所定時間が経過して補充商品が適温になった時点で販売を開始するようになっている。その場合に、補充されて調温中（準備中）の商品に対応する商品選択ボタンにおいては、商品が売切れている場合と同様に、販売可ランプを消灯させるとともに売切ランプを点灯させて、販売しないように構成している。
【０００４】
しかしながら、このような構成の場合、商品が補充されている場合でも所定時間が経過するまでは売切ランプだけが点灯しているので、利用者はその商品が売切れていると認識してしまい、少し待てば商品が適温に達して販売が開始される場合でも、その販売機での購入をあきらめてしまうことが多く、販売額の低下につながっていた。
【０００５】
これに対処するものとして、特許文献１等には、商品が補充されて販売動作を開始するまでの調温中の状態であることを示す準備中表示部を、商品選択ボタンのそれぞれに対応して設けた自動販売機が開示されている。
【０００６】
この構成によれば、商品選択ボタンに対応した準備中表示部を見ることで、その商品が補充されて販売動作を開始するまでの調温中の状態であるのか、売切れであるのかを容易に判別できる。したがって、利用者においては、調温中の商品を購入するためにしばらく時間をおいて再度来ようとする者が出てくることとなり、販売額の向上を図ることができる。
【０００７】
また、この特許文献１において、準備中表示部を、時間経過に伴って表示が変化する表示形式で示すものも、特許文献１における図８などで開示している。これにより、利用者は、その商品が販売されるまでの時間が、あと僅かなのか、それとも、長い時間かかるのかを概略的に知ることができ、利用者にとっての利便性が向上する。
【０００８】
また、これに類似するものとして、特許文献２には、適温になったことを表示するランプを商品選択ボタン毎に設けて、商品が「適温」に達した状態でこのランプを点灯させる構成や、特許文献３には、「つめたい」、「あたたかい」という表示に代えて、「冷却中」、「加温中」という表示も可能としたものも開示されている。
【０００９】
これらの特許文献２、特許文献３に開示された技術を用いても、利用者においては、調温中の商品を購入するためにしばらく時間をおいて再度来ようとする者が出てくることとなり、販売額の向上を図ることができる。
【特許文献１】特開２００１−２３０１６号公報
【特許文献２】特開平７−８５３４８号公報
【特許文献３】特開平６−１３９４４５号公報
【発明の開示】
【発明が解決しようとする課題】
【００１０】
しかしながら、これらの特許文献１〜３の何れの構成においても、自動販売機において、「適温」と称される温度に商品が達していない場合には、商品が販売されない構成である。すなわち、利用者によっては、自動販売機において「適温」と称される（設定される）冷却温度（または加温温度）が冷え過ぎ（または熱過ぎ）であると感じる人もおり、このような利用者にとっては、自動販売機で自動的に設定されている冷却温度（または加温温度）よりも若干高い温度（または若干低い温度）である方が好ましいにもかかわらず、このような温度の商品については購入できないことになり、結局、商品の購入を控えたり、商品の購入した後に、わざわざ室温状態でしばらく放置して、好みの温度になることを待ったりしなければならなかった。したがって、このような利用者が商品の購入を控えた場合には、その分だけ、販売額が低下することとなり、また、好みの温度になるように室温状態でしばらく放置する場合でも、このようなことを利用者に強いることとなって、多くの手間がかかるとともに不便である不具合がある。
【００１１】
本発明は上記課題を解決するもので、幅広い利用者の好みに対応することができ、かつ販売額の向上も図ることができる自動販売機の表示装置を提供することを目的とするものである。
【課題を解決するための手段】
【００１２】
上記課題を解決するために本発明は、冷却機能または加温機能の少なくとも一方を有するとともに、商品の温度を検出する検知手段を有して商品温度に関した情報を表示する自動販売機の表示装置であって、商品温度の温度範囲を複数の温度範囲に分割し、各温度範囲毎に設定した特定の色を商品温度に対応させて表示する温度色表示部を、各商品選択ボタンに対応してそれぞれ設けたことを特徴とする。
【００１３】
この構成により、各商品選択ボタンに対応した商品の温度に関する情報が、その温度範囲に対応する色で区別された状態で温度色表示部に表示されるので、利用者は、温度色表示部の色を見ることで、自分の好みに対応した温度範囲の商品を選択することができる。すなわち、従来においては、自動販売機において、販売する温度が限定されていたが、本発明によれば、単に温度範囲を分割して、その商品温度に関する情報を温度色表示部に色情報として表示しているので、自動販売機側で販売温度を限定することなく、商品温度に関する情報を色情報として表示した状態で各商品を販売でき、この結果、今までは自動販売機での温度設定の理由から販売していなかった商品も、積極的に販売できることとなり、その分、販売額を向上できる可能性が高くなる。また、利用者にとっては、商品の温度の選択肢が広がり、自分の好む温度の商品をそのまま購入できるため、従来のように商品の購入した後に、自分の好みの飲みごろの温度にすべく、わざわざ室温状態でしばらく放置するなどの手間をかけなくても済み、利便性が向上する。
【００１４】
また、本発明は、冷却状態で販売可能な温度範囲と加温状態で販売可能な温度範囲との少なくとも一方が、互いに温度範囲が重ならないように複数設けられていることを特徴とする。
この構成により、例えば、従来においては「適温」に設定されていた温度よりも高い冷却温度（冷却度合いが小さい状態）（または若干低い加温温度（加温度合いが小さい状態））の商品を区別して購入することが可能となり、このように利用者の選択肢が広がり、また、今までは自動販売機での温度設定の理由から販売していなかった商品も、積極的に販売できることとなった分、販売額を向上できる可能性が高くなる。
【００１５】
また、本発明は、各販売可能な温度範囲と、これらの温度範囲に対応するそれぞれの色とを対応させて表示する温度表示色見本が設けられていることを特徴とする。
この構成により、利用者は温度表示色見本に示された色と温度範囲との対応関係を容易に認識することができ、自分の好みの温度の商品を容易に探し出すことができる。
【００１６】
また、本発明は、温度表示部を点灯させる際に、同じ温度範囲に対応する同じ色の温度色表示部を同期させて点灯するように構成し、同じ温度範囲に対応する同じ色の温度色表示部を点灯させた際に、その温度範囲または概略温度を別途に設けた表示部において数字または記号で表示することを特徴とする。なお、別途に設けた表示部としては、例えば、投入金額表示部が好ましい。
【００１７】
これにより、利用者は、点灯した温度色表示部の色と、表示部に表示された温度範囲または概略温度の情報を並行して認識することができる。したがって、商品の温度範囲と、温度範囲に対応するそれぞれの色とを対応させて表示する表示見本部を別途に設けなくても済む。
【００１８】
また、本発明は、温度色表示部が販売可ランプを兼ねていることを特徴とし、これにより、販売可ランプと温度色表示部とを１つの部品で兼用できて、それぞれ別個に設ける場合と比較して製造コストを低減させることができる。
【発明の効果】
【００１９】
本発明によれば、商品温度の温度範囲を複数の温度範囲に分割し、各温度範囲毎に設定した特定の色を商品温度に対応させて表示する温度色表示部を、各商品選択ボタンに対応してそれぞれ設けたことにより、利用者は、自分の好みに対応した温度範囲の商品を選択することができる。したがって、従来よりも選択できる商品の温度の選択肢が広がった分、販売額を向上できる可能性が高くなる。また、自分の好む温度の商品をそのまま購入できるため、商品の購入した後に、自分の好みの飲みごろの温度にすべく、わざわざ室温状態でしばらく放置するなどの手間をかけなくても済み、利便性が向上する。
【００２０】
また、本発明によれば、各販売可能な温度範囲と、これらの温度範囲に対応するそれぞれの色とを対応させて表示する温度表示色見本を設けることにより、利用者は温度表示色見本に示された色と温度範囲との対応を容易に認識することができ、自分の好みの温度の商品を容易に探し出すことができて利便性が向上する。
【００２１】
また、本発明によれば、温度表示部を点灯させる際に、同じ温度範囲に対応する同じ色の温度色表示部が同期して点灯するように構成し、同じ温度範囲に対応する同じ色の温度色表示部を点灯させた際に、その温度範囲または概略温度の情報を別途に設けた表示部において数字で表示することにより、利用者は、点灯した温度色表示部の色と、表示部に表示された温度範囲または概略温度の情報を並行して認識することができ、商品の温度範囲と、温度範囲に対応するそれぞれの色とを対応させて表示する表示見本部を別途に設けなくても済む。
【００２２】
また、別途に設けた表示部として、投入金額表示部を用いることで、製造コストの増加を抑えることができる。
また、温度色表示部を販売可ランプと兼ねることで、さらに製造コストを低減させることができる。
【発明を実施するための最良の形態】
【００２３】
以下、本発明の実施の形態を図面を参照しながら説明する。図１〜図５に示すように、冷却機能または加温機能を有する自動販売機の販売機本体１には、それぞれ同種類の商品２を収納するとともに補充順に商品を払い出す商品払出機能を有する複数の商品収納部３と、各商品収納部３における商品２の売切れを出力する売切スイッチ４と、各商品収納部３における商品２の温度を検知する商品温度検知センサ１０とが設けられるとともに、各商品収納部３の商品補充口を含んだ開口部を開閉する内扉５と、各商品収納部３の商品２に対応する商品見本６が接客面に展示された前面扉７とが取り付けられている。
【００２４】
なお、前面扉７の裏面には、各種の設定を行ったり、その設定状態を表示したりする表示部８および入力キー９を有する表示入力設定部１１が設けられ、また、前面扉７の前面には、各商品見本６の下方に、各商品見本６に対応する商品選択ボタン１２が設けられるとともに、商品２が払い出される商品取出口１３と料金を投入するコイン投入部１４、投入金額などを表示する投入金額表示部１５などが設けられている。
【００２５】
各商品選択ボタン１２には、販売可能であるか否かを示す（すなわち販売可ランプを兼用している）とともに商品２の温度情報を色で表示する温度色表示ランプ２０と、商品が売切れか否かを示す売切ランプ１６とが内蔵されており、各商品選択ボタン１２における売切ランプ１６に対応する個所には「売切」の文字表示がなされている。一方、温度色表示ランプ２０には、例えば３色（赤、緑、青）ＬＥＤが内蔵され、商品温度に対応した色を表示するようになっている。
【００２６】
すなわち、従来の自動販売機においては、商品見本を陳列した商品棚には、冷却商品見本群が並べられた箇所に青色地でさらに「ＣＯＬＤ」と記載して表示し、加温商品見本群が並べられた箇所に赤色地でさらに「ＨＯＴ」と記載して表示し、販売可能状態であるかどうかを示す販売可ランプは所定の色（例えば緑色表示）を点灯または消灯させるだけであり、良好に冷却した温度範囲として、例えば冷却温度が５℃以下に達した場合に、販売可ランプを消灯状態から点灯状態に切り換え、また、良好に加温した温度範囲として、例えば加温温度が５５℃以上に達したる場合に、販売可ランプを点灯させて、それぞれ販売可能状態とし、その他のものは、販売しない状態としていた。
【００２７】
これに対して、本発明では、商品温度の温度範囲を複数の温度範囲に分割し、各温度範囲毎に設定した特定の色を商品温度に対応させて表示する温度色表示ランプ２０を、各商品選択ボタン１２に対応してそれぞれ設けている。本実施の形態では、冷却状態で販売可能な温度範囲（冷却販売温度範囲と称す）として、例えば温度が１〜５℃（または５℃以下）である第１の冷却販売温度範囲（従来の冷却販売温度範囲とほぼ同様の冷却販売温度範囲）と、温度が５〜１０℃（５℃を越え、１０℃以下）であるいわゆる弱冷状態の第２の冷却販売温度範囲（従来の冷却販売温度範囲よりも少し高めの温度範囲）との互いに異なる複数（この実施の形態では２つ）の冷却販売温度範囲が設けられている。そして、商品の温度が第１の冷却販売温度範囲である場合には温度色表示ランプ２０が青色表示で点灯され、商品の温度が第２の冷却販売温度範囲である場合には温度色表示ランプ２０が緑色表示で点灯するように設定されている。
【００２８】
また、加温状態で販売可能な温度範囲（加温販売温度範囲と称す）として、例えば温度が５５〜５８℃（または５５℃以上）である第１の加温販売温度範囲（従来の加温販売温度範囲とほぼ同様の加温販売温度範囲）と、温度が４８〜５５℃（４８℃以上で５５℃よりも低い温度）である、いわゆるぬるめの状態の第２の加温販売温度範囲（従来の冷却販売温度範囲よりも少し低めの温度範囲）との互いに異なる複数（この実施の形態では２つ）の加温販売温度範囲が設けられており、商品の温度が第１の加温販売温度範囲である場合には温度色表示ランプ２０が赤色表示で点灯され、商品の温度が第２の加温販売温度範囲である場合には温度色表示ランプ２０が紫色表示で点灯するように設定されている。
【００２９】
なお、本実施の形態では、「ＣＯＬＤ」表示や「ＨＯＴ」表示は行っていないが、単なる文字表示で行うよう構成しても差し支えない。
また、本実施の形態では、前面扉７の一部に、各販売可能な温度範囲と、これらの温度範囲に対応するそれぞれの色とを対応させて表示する温度表示色見本１９を貼り付けて表示させている。この温度表示色見本１９は例えば、図６に示すように記載され、「あつい」、「つめたい」の表示とともに温度色表示ランプ２０の各表示色（赤色、紫色、緑色、青色）が順に並べられて示されている（なお、図６において、実際には、対応する色が塗られている）。なお、表示色に対応させて、その温度範囲を具体的に記載する（例えば赤色に対応して、５５〜５８℃と記載する）ように構成してもよい。
【００３０】
販売機本体１にはさらに、演算手段や比較判定手段を有した制御部１８が設けられていて、この制御部１８によって、売切スイッチ４、入力キー９、商品温度検知センサ１０、各商品選択ボタン１２、コイン投入部１４などからの出力信号に基いて、後述するように、各商品収納部３において商品２の払い出しまたは払い出し停止が行われ、表示部８で残量などの表示が行われるとともに、温度色表示ランプ２０、売切ランプ１６がそれぞれ、所定の色で点灯あるいは消灯される。また、規定値として、温度色表示ランプ２０の表示色は上記のような赤色、紫色、緑色、青色に予め設定されているが、変更することも可能であるが、この場合には、これに対応した温度表示色見本１９を貼り付けるようにする。
【００３１】
なお、温度色表示ランプ２０は上記のように商品温度に対応した所定の色で点灯表示されるが、売切ランプ１６は、商品選択ボタン１２に対応する商品収納部３の商品２の有無を確認している売切スイッチ４の出力状態に基いて単に所定の色（例えば赤色表示）で点灯または消灯され、売切状態では、販売不可状態であるので、販売可ランプも兼ねている温度色表示ランプ２０は消灯されている。
【００３２】
上記構成において、利用者によりコイン等の料金が投入されると、この投入金額で販売可能な温度色表示ランプ２０が点灯される。この場合に、温度色表示ランプ２０には、冷却販売状態および加温販売状態において、商品温度に関する情報が、その温度範囲に対応する色で区別された状態で表示されるので、利用者は、温度色表示ランプ２０の色を見ることで、自分の好みに対応した温度範囲の商品を選択することができる。この結果、例えば、温度色表示ランプ２０が緑色表示となっている、従来においては「適温」に設定されていた温度よりも高い（すなわち冷却度合いが小さい）第２の冷却販売温度範囲の商品を区別して購入することが可能となり、このように選択肢が広がり、また、今までは自動販売機での温度設定の理由から販売していなかった商品を、積極的に販売できることとなるので、販売額を向上できる可能性が高くなる。また、利用者の好む温度の商品をそのまま購入できるため、商品の購入した後に、わざわざ室温状態でしばらく放置するなどの手間を省くことができて、利便性が向上する。
【００３３】
なお、冷却機能や加温機能の温度設定としては、従来の自動販売機と同様な冷却温度（または加温温度）まで冷却または加温するように設定し、従来においては、まだ冷却販売状態に達しておらず、冷却途中段階であると判定して、販売していなかった前記第２の冷却販売温度範囲や第２の加温販売温度範囲の商品を、上記のように温度色表示ランプ２０を緑色表示や紫色表示として販売するように構成してもよい。
【００３４】
しかし、これに限るものではなく、複数の商品収納部３がそれぞれ設けられる互いに断熱された断熱収納空間を例えば４つ設けて、それぞれ個別に、前記第１の冷却販売温度範囲や前記第２の冷却販売温度範囲、第１の加温販売温度範囲や第２の加温販売温度範囲となるように設定してもよい。
【００３５】
また、冷却または加温の何れも行わない常温状態の断熱収納空間を設けたり設定したりして、この常温の商品が収納された商品収納部３に対応する商品選択ボタン１２の温度色表示ランプ２０を他の色（例えば黄色）で表示させるなどしてもよく、これによりさらに選択肢が広がることとなる。
【００３６】
また、上記実施の形態では、前面扉７の一部に、各販売可能な温度範囲と、これらの温度範囲に対応するそれぞれの色とを対応させて表示する温度表示色見本１９を表示させた場合を述べたが、これに限るものではない。例えば、冷却販売状態では青色、加温販売状態では赤色表示とする一方で、冷却度合いが大きい第１の冷却販売温度範囲の場合には濃い青色表示、第２の冷却販売温度範囲の場合には淡い青色表示とし、また、加温度合いが大きい第１の加温販売温度範囲の場合には濃い赤色表示、第２の加温販売温度範囲の場合には淡い赤色表示とし、この場合には、直感的に冷却状態や加温状態が理解できるので、温度表示色見本１９を省くことも可能である。
【００３７】
また、さらに別の実施の形態として、例えば、温度表示色見本１９を設ける代わりに、販売待機状態（料金が投入される前の状態）において、同じ販売温度範囲に対応する同じ色の温度色表示ランプ２０を同期させて点灯するように構成し、同じ温度範囲に対応する同じ色の温度色表示ランプ２０を点灯させた際に、その温度範囲の概略温度を、投入金額表示部１５において数字で表示させてもよい。
【００３８】
すなわち、例えば、販売待機状態において、前記第１の冷却販売温度範囲である商品に対応する全ての温度色表示ランプ２０を一時的に同期させて青色表示させ、この際にはさらに同期させて投入金額表示部１５に概略的な商品温度が３℃であることを示す「３」を表示させる（図７（ａ）参照）。次に、前記第２の冷却販売温度範囲である商品に対応する全ての温度色表示ランプ２０を一時的に緑色表示させ、この際には同期させて投入金額表示部１５に概略的な商品温度が８℃であることを示す「８」を表示させる（図７（ｂ）参照）。同様に、この後、前記第２の加温販売温度範囲である商品に対応する全ての温度色表示ランプ２０を一時的に紫色表示させ、この際には同期させて投入金額表示部１５に概略的な商品温度が５２℃であることを示す「５２」を表示させ（図７（ｃ）参照）、次に、前記第１の冷却販売温度範囲である商品に対応する全ての温度色表示ランプ２０を一時的に赤色表示させ、この際には同期させて投入金額表示部１５に概略的な商品温度が５６℃であることを示す「５６」を表示させる（図７（ｄ）参照）。
【００３９】
これにより、上記した温度表示色見本１９が設けられていなくても、利用者は、点灯した温度色表示ランプ２０の色と、投入金額表示部１５に表示された概略温度の情報とを並行して見ることで、青色表示された温度色表示ランプ２０の商品選択ボタン１２に対応する商品の概略温度が３℃であり（最も冷却された商品であり）、緑色表示された温度色表示ランプ２０の商品選択ボタン１２に対応する商品の概略温度が７℃であり（弱めに冷却された商品であり）、紫色表示された温度色表示ランプ２０の商品選択ボタン１２に対応する商品の概略温度が５２℃であり（ぬるめに加温された商品であり）、赤色表示された温度色表示ランプ２０の商品選択ボタン１２に対応する商品の概略温度が５６℃である（熱めに加温された商品であり）ことを認識することができ、利用客は自分の好みの温度の商品を選択することができる。このように構成することで、上記のような商品の温度範囲と、温度範囲に対応するそれぞれの色とを対応させて表示する温度表示色見本１９を別途に設けなくても、利用客は温度色表示ランプ２０の色と商品の温度との関係を知ることができ、また、温度表示色見本１９を設けなくても済むので、その分だけ、製造コストの低減化を図ることができる。
【００４０】
また、販売待機状態では、いろいろな色の温度色表示ランプ２０が順次点灯することとなるので、この温度色表示ランプ２０がイルミネーションに似た電飾作用も発揮して、客を引き付ける効果も生じる。
【００４１】
また、この実施の形態では、投入金額表示部１５に概略温度を表示させる場合を述べたが、温度範囲（たとえば、第１の冷却販売温度範囲では「  １−  ５」、第２の冷却販売温度範囲では）「  ６−１０」、第１の加温販売温度範囲では「５５−５８」、第２の加温販売温度範囲では「４８−５４」）で表示させるよう構成したり、記号（例えば、強冷を示す「ＣＯＬＤ」、弱冷を示す「ＭＩＤ  Ｃ」、強加温「ＨＯＴ」、弱加温「ＭＩＤ  Ｈ」）で表示させるよう構成してもよい。
【００４２】
また、この実施の形態では、概略温度や温度範囲の情報を投入金額表示部１５に表示させる場合を述べ、この場合には、概略温度や温度範囲の情報を表示させる表示部を別途に設けなくても済む利点があるが、これに限るものではなく、概略温度表示用等の表示部を別途に設けてもよいことはもちろんである。
【００４３】
なお、上記の実施の形態では、冷却販売温度範囲、並びに加温販売温度範囲をそれぞれ２つずつ設けたが、３つ以上設けてもよく、また、冷却販売温度範囲と加温販売温度範囲との一方だけを複数設けてもよい。また、冷却販売温度範囲または加温販売温度範囲を複数設けた場合に、例えば、第１の冷却販売温度範囲を１〜３℃、第２の冷却販売温度範囲を６〜１０℃というように、第１の冷却販売温度範囲と第２の冷却販売温度範囲との商品温度が明確に異なるように、各冷却販売温度範囲が続いた温度とならずに、所定の温度差（上記の場合には、３〜６℃の間の３℃分）を設けるように設定してもよい。
【００４４】
なお、商品２の温度を検知する商品温度検知センサ１０としては、商品収納部３における下端部の商品２（次に払い出される商品２）の容器表面に直接接触して商品２の温度を検知するサーミスタなどが好適であるが、これに限るものではなく、商品収納部３の温度を検知するセンサや、その商品収納部３が設けられている断熱空間内の温度を検知するセンサを用いてもよい。
【図面の簡単な説明】
【００４５】
【図１】本発明の実施の形態に係る自動販売機の全体斜視図である。
【図２】同自動販売機の前面扉を開けた状態を示す斜視図である。
【図３】同自動販売機の側面断面図である。
【図４】同自動販売機のブロック図である。
【図５】（ａ）および（ｂ）は同自動販売機の表示装置および商品選択ボタンを示す正面図である。
【図６】同自動販売機の温度表示色見本の正面図である。
【図７】（ａ）〜（ｄ）はそれぞれ本発明の他の実施の形態に係る自動販売機の表示装置における商品選択ボタンおよび投入金額表示部の表示例を示す図である。
【符号の説明】
【００４６】
１      販売機本体
２      商品
３      商品収納部
１０    商品温度検知センサ
１１    表示入力設定部
１２    商品選択ボタン
１５    投入金額表示部（表示部）
１６    売切ランプ
１９    温度表示色見本
２０    温度色表示ランプ
【図１】
2007317036.tif 000003
【図２】
2007317036.tif 000004
【図３】
2007317036.tif 000005
【図４】
2007317036.tif 000006
【図５】
2007317036.tif 000007
【図６】
2007317036.tif 000008
【図７】
2007317036.tif 000009